(57)【要約】【課題】建物内に不審者が侵入したか否かを自動的に判断し、不審者が侵入した場合にのみ威嚇点灯を行うようにして、防犯効果を常に確実に発揮できるとともに、使い勝手のよい威嚇防犯装置を提供する。【解決手段】建物内に配備された人感センサ３および照明器具２と、予め登録された正当者か否かを判定する認証リーダ４と、人感センサ３および認証リーダ４からの出力信号に基づいて照明器具２を制御する制御器５とを備え、制御器５は、認証リーダ４により正当者が認証されない状態で人感センサ３から人感信号が出力された場合には、これに応じて照明器具２を威嚇点灯する。【選択図】図１
2007219589.tif 000002
【特許請求の範囲】
【請求項１】
建物内に配備された人感センサおよび照明器具と、予め登録された正当者か否かを判定する認証手段と、前記人感センサおよび認証手段からの出力信号に基づいて前記照明器具を制御する制御器とを備え、前記制御器は、前記認証手段により正当者が認証されない状態で前記人感センサから人感信号が出力された場合には、これに応じて前記照明器具を威嚇点灯するものであることを特徴とする威嚇防犯装置。
【請求項２】
前記認証手段は建物内の複数箇所に分散して設けられており、前記制御器は、各々の認証手段によりいずれも正当者が認証されない状態で前記人感センサから人感信号が出力された場合には、これに応じて照明器具を威嚇点灯することを特徴とする請求項１記載の威嚇防犯装置。
【請求項３】
前記人感センサと照明器具とは互いに近接して建物内の複数箇所に分散して設けられており、前記制御器は、前記認証手段により正当者が認証されない状態で前記人感センサから人感信号が出力された場合には、当該人感信号出力が得られる人感センサに近接した箇所にある照明器具を威嚇点灯するものであることを特徴とする請求項１または請求項２に記載の威嚇防犯装置。
【請求項４】
前記照明器具は、光源の照射方向を変更する方向変更手段を有し、前記制御器は、前記認証手段により正当者が認証されない状態で前記人感センサから人感信号が出力された場合には、これに応じて前記照明器具の光源の照射方向が変わるように前記方向変更手段を制御するものであることを特徴とする請求項１ないし請求項３のいずれか１項に記載の威嚇防犯装置。
【請求項５】
音声を発生する音声出力手段を有し、前記制御器は、前記認証手段により正当者が認証されない状態で前記人感センサから人感信号が出力された場合には、これに応じて音声が出力されるように前記音声出力手段を制御するものであることを特徴とする請求項１ないし請求項４のいずれか１項に記載の威嚇防犯装置。
【発明の詳細な説明】
【技術分野】
【０００１】
本発明は、建物内へ侵入する不審者を威嚇して防犯を行うための威嚇防犯装置に関するものである。
【背景技術】
【０００２】
従来、建物内へ侵入する不審者を威嚇して防犯を行うための装置として、建物内に人感センサを配置するとともに、防犯スイッチおよびこれらの出力信号に基づいて照明器具の動作を制御する制御器を設け、防犯スイッチがオンされた状態で人感センサから人感信号が出力された場合には、これに応じて制御器が照明器具を点滅するなどの威嚇点灯を行うことで、防犯効果を発揮するようにしたものが提案されている（例えば、特許文献１参照）。
【特許文献１】特開平６−０５３７２号公報
【発明の開示】
【発明が解決しようとする課題】
【０００３】
しかしながら、前者の特許文献１に記載されている従来技術では、建物の居住者や管理人などの正当者が防犯スイッチをオンにすることを失念したときには、不審者が侵入して人感センサから人感信号が出力された場合でも、防犯スイッチがオフになっているために制御器による照明器具の威嚇点灯が行われず、このため防犯効果を十分に図ることができない。
【０００４】
さらに、防犯スイッチをオンにしていた場合には、不審者が侵入した場合のみならず、正当者が建物内に居るときに人感センサから人感信号が出力されると、これに応じて制御器による照明器具の威嚇点灯が行われるため、使い勝手が悪いという不具合がある。
【０００５】
本発明は、上記の課題を解決するためになされたもので、不審者が侵入したか否かを自動的に判断し、不審者が侵入した場合にのみ威嚇点灯を行うようにして、防犯効果を常に確実に発揮できるとともに、使い勝手のよい威嚇防犯装置を提供することを目的とする。
【課題を解決するための手段】
【０００６】
上記の目的を達成するために、請求項１記載の発明に係る威嚇防犯装置は、建物内に配備された人感センサおよび照明器具と、予め登録された正当者か否かを判定する認証手段と、前記人感センサおよび認証手段からの出力信号に基づいて前記照明器具を制御する制御器とを備え、前記制御器は、前記認証手段により正当者が認証されない状態で前記人感センサから人感信号が出力された場合には、これに応じて前記照明器具を威嚇点灯するものであることを特徴としている。
【０００７】
また、請求項２記載の発明に係る威嚇防犯装置は、請求項１記載の発明の構成において、前記認証手段は建物内の複数箇所に分散して設けられており、前記制御器は、各々の認証手段によりいずれも正当者が認証されない状態で前記人感センサから人感信号が出力された場合には、これに応じて照明器具を威嚇点灯することを特徴としている。
【０００８】
また、請求項３記載の発明に係る威嚇防犯装置は、請求項１または請求項２に記載の構成において、前記人感センサと照明器具とは互いに近接して建物内の複数箇所に分散して設けられており、前記制御器は、前記認証手段により正当者が認証されない状態で前記人感センサから人感信号が出力された場合には、当該人感信号出力が得られる人感センサに近接した箇所にある照明器具を威嚇点灯するものであることを特徴としている。
【０００９】
また、請求項４記載の発明に係る威嚇防犯装置は、請求項１ないし請求項３のいずれか１項に記載の発明の構成において、前記照明器具は、光源の照射方向を変更する方向変更手段を有し、前記制御器は、前記認証手段により正当者が認証されない状態で前記人感センサから人感信号が出力された場合には、これに応じて前記照明器具の光源の照射方向が変わるように前記方向変更手段を制御するものであることを特徴としている。
【００１０】
また、請求項５記載の発明に係る威嚇防犯装置は、請求項１ないし請求項４のいずれか１項に記載の発明の構成において、音声を発生する音声出力手段を有し、前記制御器は、前記認証手段により正当者が認証されない状態で前記人感センサから人感信号が出力された場合には、これに応じて音声が出力されるように前記音声出力手段を制御するものであることを特徴としている。
【発明の効果】
【００１１】
請求項１記載の発明によれば、認証手段が正当者か不審者かを自動的に判断し、認証手段により正当者が認証されない状態で人感センサから人感信号が出力された場合にのみ制御器が不審者が建物内に侵入したと見なして照明器具を威嚇点灯するので、防犯スイッチをオン／オフ操作しなくても防犯効果を常に確実に発揮できる。しかも、正当者が建物内に居るときには照明器具が不意に威嚇点灯されることがないため、使い勝手が改善される。
【００１２】
また、請求項２記載の発明によれば、認証手段は建物内の複数箇所に分散して設けられており、いずれかの認証手段が正当者を認証する限り、照明器具を威嚇点灯することはないので、建物居住等の正当者が建物内の各部屋を移動した場合にも照明器具が不意に威嚇点灯されることがない。このため、さらに使い勝手が改善される。
【００１３】
また、請求項３記載の発明によれば、人感センサと照明器具とは互いに近接して建物内の複数箇所に分散して設けられており、認証手段により正当者が認証されない状態で人感センサから人感信号が出力された場合には、当該人感信号出力が得られる人感センサに近接した箇所にある照明器具が威嚇点灯されるので、不審者や建物内の各部屋をうろついたときには、それに追従して威嚇することができ、侵入した不審者の撃退効果が向上する。
【００１４】
また、請求項４記載の発明によれば、記認証手段により正当者が認証されない状態で人感センサから人感信号が出力された場合には、これに応じて方向変更手段によって照明器具の光源の照射方向が変化されるので、不審者に向けた威嚇点灯が可能となり、不審者の撃退効果をより一層高めることができる。
【００１５】
また、請求項５記載の発明によれば、認証手段により正当者が認証されない状態で人感センサから人感信号が出力された場合には、威嚇点灯に加えて音声出力手段から音声が発声されるので、不審者の撃退効果をさらに高めることができる。
【発明を実施するための最良の形態】
【００１６】
以下、本発明の実施の形態について、図面を参照して詳しく説明する。図１は本発明の実施の形態における威嚇防犯装置のシステム構成図、図２は照明器具、人感センサ、および認証手段としての認証リーダを室内に配置した状態の一例を示す配置図である。
【００１７】
この実施の形態の威嚇防犯装置１は、照明器具２、人感センサ３、認証手段としての認証リーダ４、および制御器５を主体に構成されている。そして、本例では、照明器具２、人感センサ３、および認証リーダ４は、建物内の各部屋Ｒ１，Ｒ２，Ｒ３ごとに分散して設置されている。また、制御器５は、天井や壁面等に設置される。
【００１８】
上記の照明器具２は、例えば、光源２ａと点灯駆動部２ｂとを備えている。光源２ａとしては、蛍光灯などの放電灯や、白熱灯、ＬＥＤなどを適用することができ、これらに格別な制約はない。また、点灯駆動部２ｂは、光源２ａが放電灯の場合には、整流平滑回路、調光回路、高周波発振回路等により構成され、制御器５から与えられる制御信号に応じて高周波発振回路の発振周波数が変更されて点滅される。また、光源２ａがＬＥＤの場合には、直流電流量が変化されて点滅される。
【００１９】
人感センサ３は、例えば、人体の温度を検出する赤外線焦度センサなどが適用される。      
【００２０】
認証リーダ４は、建物の居住者や管理人などなどの正当者か否かを判定するもので、本例では、正当者が携帯するＩＣタグ６に予め登録されているＩＤコードを読み取る読取部と、この読取部で読み取られたＩＤコードと当該認証リーダ４の内部に登録されているＩＤコードとが一致するか否かを判定する判定部（いずれも図示省略）を有している。
【００２１】
なお、ＩＣタグ６としては、認証リーダ４から送信される誘起電波の受信に応じてＩＤコードを送信するパッシブ型のものや、電池内蔵により認証リーダ４に向けてＩＤコードを常時送信するアクティブ型のいずれであってもよく、これらに格別な制約はない。
【００２２】
制御器５は、例えばマイクロコンピュータで構成されるもので、人感センサ３と認証リーダ４の各検出出力が論理ゲート７を介して接続されている。なお、この場合の接続は、有線に限らず無線で互いに接続した構成であってもよい。また、ここでは理解を容易にするために論理ゲート７を制御器５の外部に設けているが、制御器５の内部にハードウェアあるいはソフトウェアとして構築することもできる。
【００２３】
これにより、制御器５は、認証リーダ４により正当者が認証された場合には照明器具２の威嚇点灯を行わず、認証リーダ４により正当者が認証されない状態で人感センサ３から人感信号が出力された場合には照明器具２を点滅するなどの威嚇点灯するように構成される。
【００２４】
次に、上記構成の威嚇防犯装置１の動作について説明する。いま、図３（ａ）に示すように、建物の居住者や管理人などの正当者Ｍ１がＩＣタグ６を携帯した状態でドアを開けて部屋Ｒ１に入ると、認証リーダ４によってＩＣタグ６に予め登録されているＩＤコードが読み取られて当該認証リーダ４の内部に登録されているＩＤコードと一致するか否かが判定される。そして、両者が一致しておれば、認証リーダ４からは正当者であることを示す例えばハイレベルの認証信号が出力される。同時に、人感センサ３によって人体の存在が検知されると、人感センサ３からは例えばハイレベルの人感信号が出力される。その際、論理ゲート７の出力はローレベルとなるので、このとき制御器５は正当者Ｍ１が部屋Ｒ１に侵入したものと見なして、照明器具２への威嚇点灯は行わない。
【００２５】
また、図３（ｂ）に示すように、正当者Ｍ１が次々に部屋Ｒ１〜Ｒ３を移動した場合、その度に認証リーダ４からは正当者Ｍ１であることを示す例えばハイレベルの認証信号が出力され、同時に人感センサ３によって人体の存在が検知されてハイレベルの人感信号が出力される。このとき論理ゲート７の出力はローレベルとなるので、制御器５は正当者Ｍ１が各部屋Ｒ１〜Ｒ３に居るものと見なして照明器具２への威嚇点灯は行わない。
【００２６】
一方、図３（ａ）に示すように、ＩＣタグ６を携帯しない不審者Ｍ２が例えば窓などを開けて部屋Ｒ３に侵入した場合、認証リーダ４によってＩＤコードは読み取られないので、認証リーダ４の出力はローレベルのままとなっている。このとき、人感センサ３によって人体の存在が検知されると、人感センサ３からはハイレベルの人感信号が出力される。その際、論理ゲート７の出力はハイレベルとなるので、これによって制御器５は不審者Ｍ２が部屋Ｒ３に侵入したものと見なして、照明器具２を点滅するなどの威嚇点灯を行う。なお、不審者Ｍ２がＩＣタグ６を携帯していても、認証リーダ４に予め登録されているＩＣコードと一致しなければ、制御器５は同様に照明器具２を威嚇点灯するので、正当者Ｍ１になりすまして部屋に侵入するのを防止することができる。
【００２７】
そして、図３（ｃ）に示すように、不審者Ｍ２が照明器具２による威嚇点灯に驚いて次々に部屋Ｒ１〜Ｒ３を移動した場合、各部屋Ｒ１〜Ｒ３で認証リーダ４によって正当者が認証されない限り、その移動した部屋Ｒ１〜Ｒ３にある人感センサ３から人感信号が出力される。これに応じて、制御器５は、人感センサ３の検出出力が得られる部屋の照明器具２を順次威嚇点灯するので、不審者Ｍ２が各部屋Ｒ１〜Ｒ３を移動するのに追従した威嚇点灯が行われることになり、不審者の撃退効果が高まる。
【００２８】
このように、この実施の形態１では、認証リーダ４が正当者か不審者かを自動的に判断し、認証リーダ４により正当者Ｍ１が認証されない状態で人感センサ３から人感信号が出力された場合にのみ不審者Ｍ２と判断されて照明器具２が威嚇点灯されるので、防犯効果を常に確実に発揮することができる。しかも、正当者Ｍ１が建物内に居るときには照明器具２が不意に威嚇点灯されることがないため、使い勝手がよくなる。
【００２９】
また、この実施の形態のように、認証リーダ４を建物内の複数箇所に分散して設けておけば、正当者Ｍ１が建物内を移動した場合にも照明器具２が不意に威嚇点灯されることがないので、さらに使い勝手が改善される。さらに、この実施の形態のように、人感センサ３と照明器具２とを複数箇所に分散して設けておけば、不審者Ｍ２が建物内をうろついたときには、それに追従して各照明器具２による威嚇点灯を行えるので、不審者Ｍ２の撃退効果が一層向上する。
【００３０】
［その他の実施の形態］
（１）各部屋Ｒ１〜Ｒ３に設置されている照明器具２に、その光源２ａの照射方向を変更する方向変更手段を設け、制御器５が不審者Ｍ２が侵入したと判断したときには、これに応じて照明器具２の光源２ａの照明方向が変わるように方向変更手段を駆動制御するようにしてもよい。この場合の方向変更手段としては、例えばモータとギアを組み合わせて構成することができる。
【００３１】
このように、不審者Ｍ２が侵入したと判断された場合には、図３（ｄ）に示すように、方向変更手段によって照明器具２の光源２ａの照射方向を変化すれば、常に不審者Ｍ２に向けて威嚇点灯を行うことが可能となり、不審者Ｍ２の撃退効果をさらに高めることができる。
【００３２】
（２）各部屋Ｒ１〜Ｒ３に音声を発生する音声出力手段を設け、制御器５が不審者Ｍ２が侵入したと判断したときには、これに応じて音声出力手段から音声を出力するようにしてもよい。この場合の音声出力手段としては、ブザー、スピーカ、合成音声発声器等を適用することができる。
【００３３】
このように、不審者Ｍ２が侵入したと判断された場合には、威嚇点灯に加えて音声出力手段から音声が出力されるようにすれば、不審者Ｍ２の撃退効果をさらに一層高めることができる。
【００３４】
（３）上記の各実施の形態では、正当者Ｍ１が携帯するＩＣタグ６のＩＤコードを認証リーダ４で読み取る構成としたが、これに限らず、例えば指紋認証や虹彩認証などの生体認証リーダ４を適用することも可能である。また、認証リーダ４は、携帯電話から放射されるパイロット信号を検出して所有者を認証するものであってもよい。
【図面の簡単な説明】
【００３５】
【図１】本発明の実施の形態における威嚇防犯装置のシステム構成図である。
【図２】建物への照明器具、人感センサ、認証リーダを室内に配置した状態の一例を示す配置図である。
【図３】威嚇防犯装置の作用を示す説明図である。
【符号の説明】
【００３６】
１    威嚇防犯装置
２    照明器具
３    人感センサ
４    認証リーダ（認証手段）
５    制御器
６    ＩＣタグ
７    論理ゲート
Ｍ１  正当者
Ｍ２  不審者
【図１】
2007219589.tif 000003
【図２】
2007219589.tif 000004
【図３】
2007219589.tif 000005